(57)【要約】【課題】屋根に設けられた集水溝からの水漏れを防止することができる屋根の排水構造を提供する。【解決手段】この屋根の排水構造は、無落雪屋根１の集水溝２に設けられた縦樋３と、上記縦樋３の上端部に位置するドレイン部材４と、上記縦樋３の上端に設けられ、当該縦樋３によって支持され、当該縦樋３よりも大径の大径部分５ａを有する大径部材５と、上記大径部分５ａ内で上記大径部材５に支持されるとともに上記ドレイン部材４の鍔部４ａを受ける受け部材６とを備えている。【選択図】図１
2015017425.tif 000002
【特許請求の範囲】
【請求項１】
屋根上の集水溝に設けられた縦樋と、上記縦樋の上端部の上方に位置するドレイン部材と、上記縦樋の上端部に設けられ、当該縦樋によって支持され、当該縦樋よりも大径の大径部分を有する大径部材と、上記大径部分内で上記大径部材に支持されるとともに上記ドレイン部材の鍔部を受ける受け部材と、を備えたことを特徴とする屋根の排水構造。
【請求項２】
請求項１に記載の屋根の排水構造において、上記受け部材と上記ドレイン部材の周部との間に空間部が形成されていることを特徴とする屋根の排水構造。
【請求項３】
請求項１または請求項２に記載の屋根の排水構造において、上記受け部材の上面と上記ドレイン部材の鍔部下面との間に隙間が形成されていることを特徴とする屋根の排水構造。
【請求項４】
請求項１〜請求項３のいずれか１項に記載の屋根の排水構造において、上記ドレイン部材は上側構成部と上記大径部材の上記大径部分内に位置する下側構成部とからなり、上記上側構成部の鍔部と上記下側構成部の鍔部との間に屋根の被覆鋼板を介在させていることを特徴とする屋根の排水構造。
【請求項５】
請求項１〜請求項４のいずれか１項に記載の屋根の排水構造において、上記大径部材の上記大径部分と上記受け部材の外周部との間に屋根のルーフィングを介在させていることを特徴とする屋根の排水構造。
【発明の詳細な説明】
【技術分野】
【０００１】
この発明は、無落雪屋根に用いることができる屋根の排水構造に関する。
【背景技術】
【０００２】
図８に示すように、無落雪屋根の集水溝に設けられた縦樋１００の上端部にドレイン本体１０１とドレイン受け部材１０２とが設けられている。また、無落雪屋根には葺き材１０３が設けられており、その下側にはルーフィング１０４が敷かれている。さらに、上記葺き材１０３の裏面側から上記集水溝の底側に下りて上記ドレイン本体１０１の縁に至る被覆鋼板１０５が設けられている。上記被覆鋼板１０５の上記ドレイン本体１０１が位置する箇所は円形にくり抜かれている。
【０００３】
また、特許文献１には、屋根の両側から屋根の中央に向かって緩傾斜下降する複数の屋根面にて形成される建築物の無落雪屋根であって、屋根面は、複数の屋根パネルを組み合わせて形成され、また、各屋根パネルはユニット化された屋根枠にて建物上に支持されており、屋根の略中央には、屋根の縁に沿って排水樋が設けられている構造が開示されている。
【先行技術文献】
【特許文献】
【０００４】
【特許文献１】特開２００３−１３８６８５号公報
【発明の概要】
【発明が解決しようとする課題】
【０００５】
しかしながら、図８に示した従来構造では、上記被覆鋼板１０５の上記くり抜かれた箇所で上記ドレイン本体１０１の鍔部と上記ドレイン受け部材１０２との間に雨水が浸入し、さらにこの浸入した雨水が上記縦樋１００の外側に抜けて家屋内に浸入することがある。
【０００６】
この発明は、上記の事情に鑑み、屋根に設けられた集水溝からの水漏れを防止することができる屋根の排水構造を提供することを課題とする。
【課題を解決するための手段】
【０００７】
この発明の屋根の排水構造は、上記の課題を解決するために、屋根上の集水溝に設けられた縦樋と、上記縦樋の上端部の上方に位置するドレイン部材と、上記縦樋の上端部に設けられ、当該縦樋によって支持され、当該縦樋よりも大径の大径部分を有する大径部材と、上記大径部分内で上記大径部材に支持されるとともに上記ドレイン部材の鍔部を受ける受け部材と、を備えたことを特徴とする。
【０００８】
上記の構成であれば、上記大径部材および上記受け部材を備えるので、上記ドレイン部材の外側に雨水が垂れても、この雨水は上記大径部分内を通って上記縦樋に流れるので、屋根に設けられた集水溝からの水漏れ（すが漏れ）を防止することができる。さらに、上記受け部材が上記ドレイン部材の鍔部を受けているので、上記ドレイン部材が不安定になることもない。
【０００９】
上記受け部材と上記ドレイン部材の周部との間に空間部が形成されていてもよい。
これによれば、上記ドレイン部材の外側に垂れた雨水は上記大径部分内の上記空間部を通って上記縦樋に流れることになる。
【００１０】
上記受け部材の上面と上記ドレイン部材の鍔部下面との間に隙間が形成されていてもよい。これによれば、上記ドレイン部材の鍔部のあたりに溜まった雨水は上記隙間を通って上記大径部分内に流れるようになる。
【００１１】
上記ドレイン部材は上側構成部と上記大径部材の上記大径部分内に位置する下側構成部とからなり、上記上側構成部の鍔部と上記下側構成部の鍔部との間に屋根の被覆鋼板を介在させていてもよい。これによれば、上記被覆鋼板によっても上記ドレイン部材の位置保持がなされることになる。
【００１２】
上記大径部材の上記大径部分と上記受け部材の周部との間に屋根のルーフィングを介在させていてもよい。これによれば、仮に上記ルーフィングを伝って雨水が浸入しても、この雨水は上記大径部材内に流れるので、屋根に設けられた集水溝からの水漏れを防止することができる。
【発明の効果】
【００１３】
本発明であれば、ドレイン部材の外側に雨水が垂れても、この雨水は大径部材の大径部分内を通って縦樋に流れるので、屋根に設けられた集水溝からの水漏れを防止することができ、さらに、受け部材が上記ドレイン部材の鍔部を受けているので、上記ドレイン部材が不安定になることもないという効果を奏する。
【図面の簡単な説明】
【００１４】
【図１】本発明の実施形態にかかる屋根の排水構造を示した説明図である。
【図２】図１の屋根の排水構造で用いられている大径部材を示した斜視図である。
【図３】図１の屋根の排水構造で用いられている受け部材を示した斜視図である。
【図４】図１の屋根の排水構造の断面図である。
【図５】図４の一部を拡大して示した図である。
【図６】受け部材の他の例を示した斜視図である。
【図７】図６の受け部材を用いた場合の断面拡大図である。
【図８】従来の屋根の排水構造を示した説明図である。
【発明を実施するための形態】
【００１５】
以下、この発明の実施の形態を添付図面に基づいて説明する。
図１に示すように、この実施形態の屋根の排水構造は、無落雪屋根１の集水溝２に設けられた縦樋３と、上記縦樋３の上端部に位置するドレイン部材４と、上記縦樋３の上端に設けられ、当該縦樋３によって支持され、当該縦樋３よりも大径の大径部分５ａを有する大径部材５と、上記大径部分５ａ内で上記大径部材５に支持されるとともに上記ドレイン部材４の鍔部４ａを受ける受け部材６とを備えている。また、上記受け部材６と上記ドレイン部材４の周部との間には空間部７が形成されている。
【００１６】
上記ドレイン部材４は、上側構成部４１と下側構成部４２とからなる。上記下側構成部４２の内周側にはねじが切られており、当該下側構成部４２に上記上側構成部４１をねじ込んで固定することができる。また、上記上側構成部４１はドーム形状を有するが、複数の切欠き部が形成されており、この切欠き部から雨水（氷融解水）が上記下側構成部４２の側へ流れていくようになっている。
【００１７】
上記大径部材５は、図２にも示すように、上記大径部分５ａの下側に小径部分５ｂを有する。上記小径部分５ｂは上記縦樋３の上端部に外嵌される。上記大径部分５ａと上記小径部分５ｂとの間にはこれらを繋ぐテーパ部５ｃが形成されている。また、上記大径部材５の上端部には方形状のフランジ５ｄが形成されており、上記集水溝２の第１底板２ａ上に設けられる。また、上記大径部分５ａは上記第１底板２ａに形成された円形貫通孔および上記第１底板２ａの下方に設けられている第２底板２ｂに形成された円形貫通孔に挿入して設けられる。
【００１８】
上記受け部材６は、図３にも示すように、リング形状を有しており上端部に内側に張り出す張出部６ａを有しており、この張出部６ａ上に上記下側構成部４２の鍔部４ａが載ることになる。また、上記受け部材６の外周部には補強リブが設けられている。
【００１９】
また、無落雪屋根には葺き材１３が設けられており、その下にはルーフィング１４が敷かれている。そして、図４および図５に示すように、上記大径部材５の内周面と上記受け部材６の外周面との間に上記ルーフィング１４を介在させている。上記大径部材５上に位置する上記ルーフィング１４には三角状に６切れ目が入れられて上記大径部材５内に曲げられる。そして、この状態で上記受け部材６が上から装着されることで、上記曲げられたルーフィング１４が上記大径部材５と上記受け部材６との間に介在させられる。
【００２０】
さらに、上記ルーフィング１４上には、上記葺き材１３の裏面側から上記集水溝２の底側に下りて上記ドレイン部材４の縁に至るように被覆鋼板１５が設けられている。上記被覆鋼板１５の上記ドレイン部材４が位置する箇所は円形にくり抜かれており、当該円形の縁は上記ドレイン部材４の上記上側構成部４１の鍔部４ａと上記下側構成部４２の鍔部４ａとの間に位置している。
【００２１】
上記の構成であれば、上記大径部材５および上記受け部材６を備えるので、上記ドレイン部材４の外側に雨水が垂れても、この雨水は上記大径部分５ａ内を通って上記縦樋３に流れるので、屋根に設けられた集水溝２からの水漏れ（すが漏れ）を防止することができる。さらに、上記受け部材６が上記ドレイン部材４の鍔部４ａを受けているので、上記ドレイン部材４が不安定になることもない。
【００２２】
上記受け部材６と上記ドレイン部材４の周部との間に空間部７が形成されていると、上記ドレイン部材４の外側に垂れた雨水は上記大径部分５ａ内の上記空間部７を通って上記縦樋３に流れることになる。
【００２３】
上記上側構成部４１の鍔部４ａと上記下側構成部４２の鍔部４ａとの間に屋根の被覆鋼板１５を介在させていると、上記被覆鋼板１５によっても上記ドレイン部材の位置保持がなされることになる。
【００２４】
上記大径部材５の上記大径部分５ａと上記受け部材６の周部との間に屋根のルーフィング１４を介在させていると、仮に上記ルーフィング１４を伝って雨水が浸入しても、この雨水は上記大径部材５内に流れるので、屋根に設けられた集水溝２からの水漏れを防止することができる。
【００２５】
図６および図７は上記受け部材６の他の例を示している。この受け部材６は上面部に４個の支持部材６１を環状に間隔をあけて備えている。上記支持部材６１は例えば樹脂やゴム材料からなる。上記ドレイン部材４の下側構成部４２の鍔部４ａの下面は上記支持部材６１によって支持され、上記鍔部４ａの下面に隙間が形成される。これによれば、上記ドレイン部材４の鍔部４ａのあたりに溜まった雨水は上記隙間を通って上記大径部分５ａ内に流れるようになる。なお、凸部となる上記支持部材６１を設けることで上記隙間を形成する他、上記受け部材６に溝や切欠きを形成して隙間を形成するようにしてもよい。
【００２６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２７】
１      無落雪屋根
２      集水溝
３      縦樋
４      ドレイン部材
５      大径部材
５ａ    大径部分
６      受け部材
６１    支持部材
７      空間
【図１】
2015017425.tif 000003
【図２】
2015017425.tif 000004
【図３】
2015017425.tif 000005
【図４】
2015017425.tif 000006
【図５】
2015017425.tif 000007
【図６】
2015017425.tif 000008
【図７】
2015017425.tif 000009
【図８】
2015017425.tif 000010